(57)【特許請求の範囲】
【請求項１】
第一トリガを検出する第一検出部と、
無線信号に含まれる位置情報の変化に基づいて、携帯電話装置の使用者が移動したことを第二トリガとして検出する第二検出部と、
前記第一検出部が前記第一トリガを検出した場合に、呼の接続を行う呼制御部と、
前記呼制御部が呼の接続を行った後であって前記第二検出部が前記第二トリガを検出するまでは、音声入力部から入力される音声を呼の相手先に送信せず、前記第二検出部が前記第二トリガを検出した後は、前記音声入力部から入力される音声を呼の相手先に送信する通話制御部と
を備える、携帯電話装置の制御装置。
【請求項２】
前記第二検出部は、無線信号に含まれる基地局の識別情報の変化に基づいて、携帯電話装置の使用者が移動したことを第二のトリガとして検出する、請求項１に記載の携帯電話装置の制御装置。
【請求項３】
自装置が通話制御モードであるか否か判断するモード判断部をさらに備え、
前記モード判断部が通話制御モードではないと判断した場合は、前記呼制御部は、前記第一検出部の処理にかかわらず、オフフック状態となった場合に呼の接続を行い、前記通話制御部は、前記第一検出部及び前記第二検出部の処理にかかわらず、オフフック状態となった場合に前記音声入力部から入力される音声を呼の相手先に送信し、
前記モード判断部が通話制御モードであると判断した場合は、前記呼制御部は、前記第一検出部が前記第一トリガを検出した場合に、呼の接続を行い、前記通話制御部は、前記呼制御部が呼の接続を行った後であって前記第二検出部が前記第二トリガを検出するまでは、前記音声入力部から入力される音声を呼の相手先に送信せず、前記第二検出部が前記第二トリガを検出した後は、前記音声入力部から入力される音声を呼の相手先に送信する、請求項１又は請求項２に記載の携帯電話装置の制御装置。
【請求項４】
第三トリガを検出する第三検出部をさらに備え、
前記通話制御部は、前記第二検出部が前記第二トリガを検出した後であって前記第三検出部が前記第三トリガを検出するまでは、前記音声入力部から入力される音声を呼の相手先に送信し、前記第三検出部が前記第三トリガを検出した後は、前記音声入力部から入力される音声を呼の相手先に送信しない、請求項１から請求項３のいずれか一項に記載の携帯電話装置の制御装置。
【請求項５】
請求項１から４のいずれか一項に記載の制御装置を備える携帯電話装置。
【請求項６】
携帯電話装置の制御装置が、第一トリガを検出するステップと、
前記制御装置が、無線信号に含まれる位置情報の変化に基づいて、携帯電話装置の使用者が移動したことを第二トリガとして検出するステップと、
前記制御装置が、前記第一トリガを検出した場合に、呼の接続を行うステップと、
前記制御装置が、前記呼の接続を行った後であって前記第二トリガを検出するまでは、音声入力部から入力される音声を呼の相手先に送信せず、前記第二トリガを検出した後は、前記音声入力部から入力される音声を呼の相手先に送信するステップと
を備える、携帯電話装置の制御方法。
【発明の詳細な説明】
【技術分野】
【０００１】
本発明は、携帯電話装置の制御装置、携帯電話装置、及び携帯電話装置の制御方法に関する。
【背景技術】
【０００２】
一般的に、会議や打ち合わせを行っている際に携帯電話装置に着信があった場合、使用者は、放置して留守番電話にメッセージを残してもらったり、その場で電話を受けてマイク周辺を手で覆いながら小さい声で後ほど電話をかけなおす旨を伝えたり、慌ててその場から離れて電話を受けるなどして対処していた。
しかし、小さい声で話した場合、使用者の声が小さすぎると、相手先には伝わる音量が小さすぎて、正確に伝わらないという問題があった。このような問題に対し、通話中の使用者が、電話機のマイク近傍を手で覆うと、その状態をタッチセンサやフォトセンサによって検出し、電話機がひそひそモードに自動的に設定される技術が提案されている（特許文献１参照）。この技術によれば、使用者が手で覆って話をした場合、マイクから入力される音声の音量が調整されるため、その声が小さいものであっても相手先に大きな音量で話の内容が伝わる。
【特許文献１】特開２００６−０２５４０２号公報
【発明の開示】
【発明が解決しようとする課題】
【０００３】
しかしながら、たとえ手でマイク周辺を覆うとしても、会議中に電話を受ける場合は、一般的には出席者に電話に出る旨を申し出てから受ける必要があるため、すぐに受けることはできないことが多い。さらに、使用者がその場から離れてから電話を受けようとすれば、その移動にもさらに時間を要するため、通常よりも電話を受けるまでに時間を要することが多い。そのため、電話を受け損なうことが多いという問題があった。
一方で、たとえその場ですぐに受けることができたとしても、会議の内容がマイクから集音されて電話の相手先に不用意に伝わってしまうおそれがあった。たとえ手でマイク付近を覆うとしても、電話を受ける操作をしてから手で覆うまでには時間を要するため、同じような問題があった。
【０００４】
そこで本発明は、すぐには通話ができない状況において着信があったとしても、その電話を受けることができ、かつ周囲の音が相手先に伝わることを抑止することを可能とする装置及び方法を提供することを目的とする。
【課題を解決するための手段】
【０００５】
本発明の第一の態様は、第一検出部、第二検出部、呼制御部、及び通話制御部を備える、携帯電話装置の制御装置である。第一検出部は、第一トリガを検出する。第二検出部は、第二トリガを検出する。呼制御部は、第一検出部が第一トリガを検出した場合に、呼の接続を行う。通話制御部は、呼制御部が呼の接続を行った後であって第二検出部が第二トリガを検出するまでは、音声入力部から入力される音声を呼の相手先に送信せず、第二検出部が第二トリガを検出した後は、音声入力部から入力される音声を呼の相手先に送信する。
このように構成された本発明の第一の態様は、使用者がすぐには通話をできない状況であったとしても、とりあえず呼を接続し電話を受けることができる。そして、呼が接続されても、通話制御部は、第二トリガが検出されるまでの間は音声を呼の相手先に送信しない。そのため、すぐには通話ができない状況において着信があったとしても、使用者がその電話を受けることができ、かつ周囲の音が相手先に伝わることを抑止することが可能となる。
【０００６】
本発明の第一の態様は、自装置が通話制御モードであるか否か判断するモード判断部をさらに備えても良い。このような構成の下では、モード判断部が通話制御モードではないと判断した場合は、呼制御部は、第一検出部の処理にかかわらず、オフフック状態となった場合に呼の接続を行う。また、通話制御部は、第一検出部及び第二検出部の処理にかかわらず、オフフック状態となった場合に音声入力部から入力される音声を呼の相手先に送信する。また、モード判断部が通話制御モードであると判断した場合は、呼制御部は、第一検出部が第一トリガを検出した場合に、呼の接続を行う。また、通話制御部は、呼制御部が呼の接続を行った後であって第二検出部が第二トリガを検出するまでは、音声入力部から入力される音声を呼の相手先に送信せず、第二検出部が第二トリガを検出した後は、音声入力部から入力される音声を呼の相手先に送信する。
【０００７】
本発明の第一の態様は、第三トリガを検出する第三検出部をさらに備えても良い。その場合、通話制御部は、第二検出部が第二トリガを検出した後であって第三検出部が第三トリガを検出するまでは、音声入力部から入力される音声を呼の相手先に送信し、第三検出部が第三トリガを検出した後は、音声入力部から入力される音声を呼の相手先に送信しない。
【０００８】
本発明の第二の態様は、本発明の第一の態様としての制御装置を備える携帯電話装置である。
本発明は、コンピュータを、上述した制御装置として動作させるためのコンピュータプログラムとして特定されても良い。また、本発明は、上述した制御装置が行う携帯電話装置の制御方法として特定されても良い。
【発明の効果】
【０００９】
本発明により、すぐには通話ができない状況において着信があったとしても、使用者がその電話を受けることができ、かつ周囲の音が相手先に伝わることを抑止することが可能となる。
【発明を実施するための最良の形態】
【００１０】
［第一実施形態］
第一実施形態である携帯電話装置１ａについて説明する。図１は、第一実施形態である携帯電話装置１ａの全体のシステム構成を示す概略ブロック図である。以下、図１を参照しながら、携帯電話装置１ａの全体構成について説明する。
携帯電話装置１ａは、主制御部１０ａ、通信制御部１１、無線部１２、プログラムメモリ１３、操作部１４、フラッシュ１５、主カメラ１６、副カメラ１７、主表示部１８、副表示部１９、振動センサ２０、ＧＰＳ(Global Positioning System)機能部２１、マイク２２、音声処理部２３、スピーカ２４、ＲＦＩＤ(Radio Frequency IDentification)リーダー２５、電源制御部２６、電池２７、メモリ２８、インジケータ２９、Ｉｒ(Infrared ray)受信部３０、Ｉｒ送信部３１、近距離通信無線部３２、及び光センサ３３を構成要素として備える。
【００１１】
主制御部１０ａ以外の各構成要素は、主制御部１０ａに対し直接又は間接的に接続する。主制御部１０ａは、各構成要素によって実行される処理を制御する。主制御部１０ａ以外の各構成要素は、携帯電話装置１ａの各種機能にかかる処理を行う。以下、携帯電話装置１ａの各構成要素について説明する。
主制御部１０ａは、専用のハードウェアや、プログラムを読み込んで実行することにより動作する演算処理装置を用いて構成することができる。主制御部１０ａの詳細な動作については後述する。
【００１２】
通信制御部１１は、無線部１２を用いた無線通信の通信制御を行う。例えば、通信制御部１１は、シーケンス制御や再送制御を実行する。
無線部１２は、携帯電話網（Ｗ−ＣＤＭＡ網やＣＤＭＡ２０００網など）、無線ＬＡＮ等の無線通信規格に従う無線通信を、アンテナ１２１を介して行う。すなわち、無線部１２は、主制御部１０ａから、主カメラ１６や副カメラ１７で撮影される画像や、マイク２２で収音される音声等の入力を受け、入力された画像や音声等に、所定の変調方式による変調処理、無線周波数帯への周波数変換処理、及び増幅処理の各処理を実行し、無線信号としてアンテナ１２１から無線区間に送出する。また、アンテナ１２１に到来した無線信号をベースバンド周波数帯へ変換する周波数変換処理、所定の方式による変調処理、及び増幅処理の各処理を施し、信号を主制御部１０ａに出力する。
【００１３】
プログラムメモリ１３は、携帯電話装置１ａの種々の機能にかかる各種ソフトウェアを格納する記憶部である。携帯電話装置１ａの主制御部１０ａは、このプログラムメモリ１３に記憶されるソフトウェアを読み出し、該ソフトウェアに従う処理を実行する。
操作部１４は、使用者による各種指示の入力を受け付け、主制御部１０ａに出力する。操作部１４は、例えば、文字や数値などのデータを入力するための各種ボタンを具備するキーボードや、カーソルの位置などを入力するためのポインティングデバイスや、タッチパネル等を用いて構成できる。
【００１４】
フラッシュ１５は、後述する主カメラ１６が撮像を行う際に、撮像対象を照らすために発光を行う。
主カメラ１６又は副カメラ１７は、いずれも撮影部として機能し、それぞれ光学系、撮像部、及び映像信号処理部を備える。光学系は、レンズやプリズム等を備え、外部の光を取り入れ、撮像部に出力する。撮像部は、ＣＣＤやＣＭＯＳなどの光センサを備え、入力された光の明暗に比例した電流を発生し、映像信号処理部に出力する。映像信号処理部は、撮像部から入力された電流をデジタルデータに変換し、所定の画像処理を施す。そして、映像信号処理部は、このデジタルデータを主制御部１０ａに出力する。
【００１５】
主表示部１８及び副表示部１９は、主制御部１０ａから入力される各種画像を表示する。例えば、主表示部１８及び副表示部１９は、液晶ディスプレイや有機ＥＬディスプレイなどを備える。
振動センサ２０は、携帯電話装置１ａが受けた振動を検知し、振動の強さを振幅により表す電気信号を主制御部１０ａに出力する。
【００１６】
ＧＰＳ機能部２１は、ＧＰＳアンテナ２１１を備え、複数のＧＰＳ衛星からそれぞれ発射された時刻信号電波を受信する。ＧＰＳ機能部２１は、各時刻信号電波の到達時間の差に基づき、携帯電話装置１ａの現在の位置データを取得する。そして、ＧＰＳ機能部２１は、取得した位置データを、主制御部１０ａに出力する。
マイク２２は、空気を伝播してきた音声を取り入れ、入力された音声の波に応じて電気信号を生成し、音声処理部２３に出力する。
【００１７】
音声処理部２３は、マイク２２から入力された電気信号からノイズを除去し、ノイズ除去後の電気信号を主制御部１０ａへ出力する。また、音声処理部２３は、メモリ２８が記憶している音声データや、無線部１２を介して他の電話機から受信される音声信号を、スピーカ２４を介して出力する。
スピーカ２４は、音声処理部２３から入力される電気信号に基づき、振動板などの振動体を振動させることによって音声を出力する。
【００１８】
ＲＦＩＤリーダー２５は、アンテナ２５１を備え、信号を送受信する。ＲＦＩＤリーダー２５は、この信号に反応したＲＦＩＤタグから、このＲＦＩＤタグに書き込まれたデータを読み取る。そして、ＲＦＩＤリーダー２５は、読み取ったデータを主制御部１０ａへ出力する。
電源制御部２６は、電池２７から供給される直流電力を主制御部１０ａへ供給する。電池２７は充電池（二次電池）又は乾電池（一次電池）などであり、直流電力を電源制御部２６に供給する。
【００１９】
メモリ２８は、携帯電話装置１ａの処理に必要な種々のデータを記憶する。具体的には、番号プリセット、電話帳、メッセージプリセット、住所データ、メール履歴、電話履歴、位置データ、行動履歴、スケジュールデータ、録音データ等を記憶する。以下、それぞれについて説明する。
番号プリセットは、予めメモリ２８に登録されている電話番号及びその付属情報（名前等）である。電話帳は、使用者によって入力された電話番号及びその付属情報（名前等）である。メッセージプリセットは、予めメモリ２８に登録されている音声データ及び文字データである。住所データは、使用者によって入力された住所に関する情報であり、電話帳の一部を構成する。メール履歴は、電子メールやショートメッセージの送受信履歴である。電話履歴は、電話の発着信履歴である。位置データは、当該携帯電話装置１ａの現在の位置を示す情報であり、ＧＰＳ機能部２１やＲＦＩＤリーダー２５等によって取得される情報である。また、他の位置データとして、現在接続中の基地局装置の識別情報（基地局装置と接続中である場合）がある。行動履歴は、位置データの履歴である。
【００２０】
インジケータ２９は、電池２７の残量に応じて伸縮するインジケータ画像を表示する。
Ｉｒ受信部３０とＩｒ送信部３１は、それぞれ赤外線通信の受信と送信を行う。近距離通信無線部３２は、無線ＬＡＮやＢｌｕｅｔｏｏｔｈ（登録商標）などの無線通信規格に基づいて無線通信を行う。光センサ３３は、設置された箇所の周囲の光を取り込み、光の強さに応じた電気信号を発生する。そして、光センサ３３は、この電気信号を主制御部１０ａへ出力する。
【００２１】
図２は、携帯電話装置１ａの外観構成例を示す図である。図２（ａ）は、携帯電話装置１ａの内側（主表示部１８を有する側）を示す図である。図２（ｂ）は、携帯電話装置１ａの外側（副表示部１９を有する側）を示す図である。以下、図２を参照して、携帯電話装置１ａの外観構成について説明する。なお、図２では、携帯電話装置１ａは折り畳み自在の構造を有している。
【００２２】
携帯電話装置１ａは、内側の下方に操作部１４を備える。携帯電話装置１ａは、例えば、カーソルボタン１４１、決定ボタン１４２、オンフックボタン１４３、オフフックボタン１４４、テンキー（＊ボタンや＃ボタンを含む）１４５を備える。このような操作部１４は、使用者によって操作されることによって、主制御部１０ａに対し数字や文字や命令を入力する。カーソルボタン１４１は、主表示部１８に表示されるカーソルを移動させて、各種の選択入力等を行うために用いられる。決定ボタン１４２は、選択実行を行うために用いられる。オンフックボタン１４３は、携帯電話装置１ａをオンフック状態にするために使用される。オフフックボタン１４４は、携帯電話装置１ａをオフフック状態にするために使用される。テンキー１４５は、電話番号の入力、メールや電話帳作成時の文字入力等に用いられる。
【００２３】
携帯電話装置１ａは、内側の上方に、副カメラ１７、主表示部１８を備える。また、携帯電話装置１ａは、内側の下方に、操作部１４に加えてさらに、マイク２２、光センサ３３を備える。
携帯電話装置１ａは、外側に、フラッシュ１５、主カメラ１６、副表示部１９、アンテナ１２１を備える。
【００２４】
図３は、主制御部１０ａの機能構成のうち、携帯電話装置１ａにおいて特徴的な機能構成のみを記載した概略ブロック図である。以下、図３を用いて、主制御部１０ａの特徴的な構成について説明する。
主制御部１０ａは、第一検出部１０１、第二検出部１０２、呼制御部１０３、及び通話制御部１０４ａを備える。この他にも、主制御部１０ａは、携帯電話機としての機能やウェブブラウジングを行うための機能やメールを送受信するための機能などを実現するための公知の機能部を具備する。
【００２５】
第一検出部１０１は、第一トリガを検出する。第一トリガは、携帯電話装置１ａに着信があった後、携帯電話装置１ａの使用者がその着信の呼を接続することを所望して行う動作に由来するものである。第一検出部１０１は、着信がある間に、使用者によってオフフックボタン１４４が押下されると、この入力信号を第一トリガとして検出する。また、折りたたまれていた携帯電話装置１ａが使用者によって開かれると、この動作をセンサが検知して信号を出力する。第一検出部１０１は、着信がある間に、この信号が出力されると、この信号を第一トリガとして検出する。第一検出部１０１が検出する第一トリガは、上述したものに限定されない。第一検出部１０１は、第一トリガを検出すると、第一トリガが検出されたことを呼制御部１０３及び通話制御部１０４ａに通知する。
【００２６】
第二検出部１０２は、第二トリガを検出する。第二トリガは、携帯電話装置１ａが他の電話機と呼を接続している状態で生じる動作や入力である。第二検出部１０２は、呼が接続された状態で、使用者によってオフフックボタン１４４が押下されると、この入力信号を第二トリガとして検出する。第二検出部１０２は、第二トリガを検出すると、第二トリガが検出されたことを呼制御部１０３及び通話制御部１０４ａに通知する。
【００２７】
呼制御部１０３は、携帯電話装置１ａに着信があった場合の呼の接続を制御する。呼制御部１０３は、着信があった後、第一検出部１０１によって第一トリガが検出されると、この着信に対し呼を接続する。また、呼制御部１０３は、呼を接続している状態でオンフックボタン１４３が押下されると、接続している呼を切断する。
【００２８】
通話制御部１０４ａは、呼制御部１０３によって接続された呼における通話を制御する。通話制御部１０４ａは、通話に関する制御パターンを複数有する。通話制御部１０４ａは、呼は接続されているもののマイク２２から入力された音声を通話音声として相手先に送信しない制御パターン（以下、「第一制御パターン」という。）と、通常の通話の制御パターン（即ち、マイク２２から入力された音声を相手先に送信し、相手先から送信された音声をスピーカ２４から出力する制御パターン。以下、「第二制御パターン」という。）を、通話に関する制御パターンとして有する。そして、通話制御部１０４ａは、着信があった後に第一トリガが検出されると、呼制御部１０３によって接続された呼における通話を、第一制御パターンに従って制御する。また、第一トリガが検出された後に、呼が接続された状態で第二トリガが検出されると、通話制御部１０４ａは、通話を第二制御パターンに従って制御する。
【００２９】
図４は、携帯電話装置１ａの主制御部１０ａの動作を示すフローチャートである。以下、図４を参照しながら、携帯電話装置１ａの主制御部１０ａの動作について説明する。
他の電話機からの着信があると、主制御部１０ａは、不図示のスピーカやバイブレーター等を用いて、着信を使用者に報知する（Ｓ０１）。主制御部１０ａは、着信が続いている間は、第一検出部１０１による第一トリガの検出があるまで着信報知を続けて待機する（Ｓ０２−ＮＯ）。着信が続いている間に第一検出部１０１が第一トリガを検出すると（Ｓ０２−ＹＥＳ）、主制御部１０ａの呼制御部１０３は、この着信に対し呼の接続を行う（Ｓ０３）。また、通話制御部１０４ａは、接続された呼において、通話を第一制御パターンに従って制御する（Ｓ０４）。
【００３０】
その後、第二検出部１０２による第二トリガの検出が行われる前にオンフックボタン１４３が押下されると（Ｓ０５−ＮＯ、Ｓ０６−ＹＥＳ）、呼制御部１０３は呼を切断し（Ｓ０９）、主制御部１０ａはこの着信に対する処理を終える。一方、呼が接続したままの状態で第二検出部１０２が第二トリガを検出すると（Ｓ０５−ＹＥＳ）、通話制御部１０４ａは、接続された呼において、通話を第二制御パターンに従って制御する（Ｓ０７）。その後、通話制御部１０４ａは、オンフックになるまで通話を第二制御パターンに従って制御する（Ｓ０８−ＮＯ）。オンフックボタンが押下されると（Ｓ０８−ＹＥＳ）、呼制御部１０３は呼を切断し（Ｓ９）、主制御部１０ａはこの着信に対する処理を終える。
【００３１】
使用者は、携帯電話装置１ａを用いることにより、すぐには通話ができない状況で着信があったとしても、第一トリガとなる入力を行うことによって、とりあえず呼を接続させることができる。この時点では、通話制御部１０４ａが第一制御パターンに従って通話を制御するため、マイク２２から入力される使用者の周囲の音声（例えば会議中の声など）が相手先に届くことは無い。従って、携帯電話装置１ａの使用者は、通話できる状況となる前であっても、とりあえず呼の接続を確保することができる。そのため、重要な着信を逃す恐れが減少し、電話のかけなおしを行う必要も無くなる。
【００３２】
<変形例>
第二検出部１０２が検出する第二トリガは、上述したものに限定されない。以下、第二トリガのバリエーションについて説明する。
第二検出部１０２は、第二トリガとして、携帯電話装置１ａの使用者が、マイク２２付近を手やその他の物などで覆う動作を検出しても良い。例えば、第二検出部１０２は、マイク２２の付近に設置された光センサ３３によって感知される光量の変化に基づいて、第二トリガを検出する。具体的には、第二検出部１０２は、第一検出部１０１が第一トリガを検出した時点の光量を記憶する。その後、第二検出部１０２は、定期的（例えば１秒毎、０．１秒毎など）に、光センサ３３によって感知される光量を取得する。第二検出部１０２は、新たに取得した光量と、記憶している光量との差を算出する。第二検出部１０２は、新たに取得した光量が、記憶している光量よりも小さく、且つその差が閾値を超えた場合に、第二トリガを検出したと判断する。なお、第二検出部１０２が、マイク２２付近が手やその他の物などで覆われたことを検出する方法は、上述した方法に限定されない。
【００３３】
第二検出部１０２がこのように動作することにより、携帯電話装置１ａの使用者は、特定のボタン（例えばオフフックボタン）を押下するのに比べて、より簡易な動作によって通話を開始することが可能となる。
【００３４】
第二検出部１０２は、第二トリガとして、携帯電話装置１ａの位置する場所が移動したことを検出しても良い。例えば、第二検出部１０２は、ＲＦＩＤリーダー２５が検出する位置データに基づいて、第二トリガを検出する。具体的には、各部屋の壁や床や天井、廊下の壁や床や天上などに、位置データを記録したＲＦＩＤタグが設置される。ＲＦＩＤリーダー２５は、これらのＲＦＩＤタグと通信を行い、各ＲＦＩＤタグが記憶する位置データを取得する。位置データは、廊下であることを示すデータや、部屋の番号を示すデータを含む。第二検出部１０２は、第一検出部１０１が第一トリガを検出した時点の位置データを記憶する。その後、第二検出部１０２は、定期的（例えば１秒毎、０．１秒毎など）に、ＲＦＩＤリーダー２５から位置データを取得する。そして、第二検出部１０２は、新たに取得した位置データが、記憶している位置データと異なる場合（例えば、記憶している位置データが部屋の番号を示すデータで、新たに取得した位置データが廊下であることを示すデータであった場合）に、第二トリガを検出したと判断する。
【００３５】
また、例えば、第二検出部１０２は、第二トリガとして、無線通信を行う際に接続する基地局が変化したこと又は接続できなくなったことを検出しても良い。具体的には、各部屋に、その部屋の中だけが通信範囲となるフェムトセル基地局が設置される。無線部１２又は近距離通信無線部３２は、このフェムトセル基地局に接続する際に、このフェムト基地局の識別子（例えばＩＰアドレスや装置ＩＤなど）を取得する。第二検出部１０２は、第一検出部１０１が第一トリガを検出した時点の基地局の識別子を記憶する。その後、第二検出部１０２は、定期的（例えば１秒毎、０．１秒毎など）に、接続している基地局の識別子を取得する。そして、第二検出部１０２は、新たに取得した基地局の識別子が、記憶している識別子と異なる場合に、第二トリガを検出したと判断する。
【００３６】
また、第二検出部１０２は、携帯電話装置１ａの位置する座標をＧＰＳ機能部２１から取得し、この座標に基づいて、第二トリガを検出しても良い。具体的には、第二検出部１０２は、第一検出部１０１が第一トリガを検出した時点の座標を記憶する。その後、第二検出部１０２は、定期的（例えば１秒毎、０．１秒毎など）に、ＧＰＳ機能部２１から座標を取得する。第二検出部１０２は、新たに取得した座標と記憶している座標との距離を算出する。そして、第二検出部１０２は、算出された距離が閾値（例えば５ｍ、１０ｍなど）を超えた場合に、第二トリガを検出したと判断する。
【００３７】
また、第二検出部１０２は、可視光通信によって携帯電話装置１ａの位置データを取得し、この位置データに基づいて、第二トリガを検出しても良い。具体的には、携帯電話装置１ａは、可視光通信の受信部を備え、会議室や廊下などに設けられた照明を光源とする可視光通信を受信する。会議室や廊下などに設けられた各照明は、その照明が設けられた位置を示す位置データを可視光通信によって送信する。位置データは、廊下であることを示すデータや、部屋の番号を示すデータを含む。第二検出部１０２は、第一検出部１０１が第一トリガを検出した時点に可視光通信によって受信された位置データを記憶する。その後、第二検出部１０２は、定期的（例えば１秒毎、０．１秒毎など）に、可視光通信によって位置データを取得する。第二検出部１０２は、新たに取得した位置データと記憶している位置データとが異なる場合（例えば、記憶している位置データが部屋の番号を示すデータで、新たに取得した位置データが廊下であることを示すデータであった場合）に、第二トリガを検出したと判断する。なお、可視光通信を行うための受光部として光センサ３３が適用されても良いし、可視光通信のための新たな光センサが携帯電話装置１ａに設けられても良い。
【００３８】
第二検出部１０２は、第二トリガとして、通話許可信号が受信されたことを検出しても良い。具体的には、通話許可信号を記録したＲＦＩＤタグが、通話を行っても良い場所（例えば廊下や非常階段など）の壁や床や天井などに、予め設置される。ＲＦＩＤリーダー２５は、これらのＲＦＩＤタグと通信を行い、各ＲＦＩＤタグが記憶する通話許可信号を取得する。第二検出部１０２は、ＲＦＩＤリーダー２５が、通話許可信号を取得した場合に、第二トリガを検出したと判断する。
また、第二検出部１０２は、通話が可能な位置を示す情報として、ＧＰＳ機能部２１から取得する座標、ＲＦＩＤリーダー２５から取得するＲＦＩＤタグに記憶された位置データ、無線部１２又は近距離通信無線部３２から取得するフェムトセル基地局の識別子、のいずれかを予め記憶し、新たに取得した各情報と記憶している情報とが一致した場合に、第二トリガを検出したと判断しても良い。
【００３９】
また、第二検出部１０２は、第二トリガとして、使用者がマイク２２に口を近づける動作を検出しても良い。例えば、第二検出部１０２は、携帯電話装置１ａに設けられた口臭センサ、アルコールセンサ、二酸化炭素センサ等からの出力に基づいて検出を行う。第二検出部１０２は、各センサについて、使用者の口が近づいた場合に得られる出力値を閾値として予め記憶する。この閾値は、実験の結果などに基づいて予め取得される。第二検出部１０２は、各センサにおける出力値が閾値を超えた場合に、第二トリガを検出したと判断する。なお、口臭センサ、アルコールセンサ、二酸化炭素センサ等は、公知のものを用いることができる。
【００４０】
また、第二検出部１０２は、振動センサ２０からの出力に基づいて第二トリガを検出しても良い。第二検出部１０２は、携帯電話装置１ａの使用者が携帯電話装置１ａを携帯して歩行や小走りを行った場合に振動センサ２０において得られる出力値を、第一閾値として予め記憶する。また、第二検出部１０２は、携帯電話装置１ａの使用者が携帯電話装置１ａを携帯して立ち止まっている場合に振動センサ２０において得られる出力値を、第二閾値として予め記憶する。この第一閾値及び第二閾値は、実験の結果などに基づいて予め取得される。第二検出部１０２は、振動センサ２０における出力値が第一閾値を超え、その後に振動センサ２０における出力値が第二閾値を下回った場合に、第二トリガを検出したと判断する。
【００４１】
次に、第一制御パターンの変形例について説明する。第一制御パターンの制御は、マイク２２から入力された音声を通話音声として相手先に伝えない制御を含めば、さらに他の動作を伴う制御であっても良い。例えば、第一制御パターンは、予めメモリ２８が記憶している音声メッセージを相手先に送信する制御パターンであっても良い。音声メッセージの内容は、例えば「ただいま会議中です。しばらくそのままでお待ちください。」といったメッセージである。即ち、この音声メッセージは、携帯電話装置１ａの使用者がすぐには通話できない状況であるもののそのまま待機すれば通話可能になることを相手先に伝える音声メッセージであっても良い。通話制御部１０４ａが、このような音声メッセージを相手先に送信することにより、とりあえず接続した呼が、相手先によって切断されるおそれが減る。
【００４２】
次に、第二制御パターンの変形例について説明する。第二制御パターンの内容は、マイク２２から入力された音声を相手先に送信し、相手先から送信された音声をスピーカ２４から出力する制御を含めば、さらに他の動作を伴う制御であっても良い。例えば、通話制御部１０４ａは、第二制御パターンにおいて、さらに通話内容を録音しても良いし、不図示の副マイクから入力される周囲の音声を録音しても良いし、相手先に送信する音声のボリュームを大きくする処理を実行しても良いし、相手先から送信される音声のボリュームを小さくしてスピーカ２４から出力しても良い。
【００４３】
［第二実施形態］
次に、第二実施形態である携帯電話装置１ｂについて説明する。携帯電話装置１ｂは、主制御部１０ａに代えて主制御部１０ｂを備える点で携帯電話装置１ａと異なり、他の構成については携帯電話装置１ａと同様である。そのため、携帯電話装置１ｂ全体についての説明は省略し、主制御部１０ｂについて説明する。
図５は、主制御部１０ｂの機能構成のうち、携帯電話装置１ｂにおいて特徴的な機能構成のみを記載した概略ブロック図である。主制御部１０ｂは、通話制御部１０４ａに代えて通話制御部１０４ｂを備える点、及び第三検出部１０５をさらに備える点で、主制御部１０ａと異なる。以下、主制御部１０ｂについて、主制御部１０ａと異なる点を主に説明する。
【００４４】
第三検出部１０５は、第三トリガを検出する。第三トリガは、携帯電話装置１ｂが他の電話機と呼を接続している状態であり、且つ第二制御パターンに従って制御されている状態で生じる動作や入力である。第三検出部１０５は、呼が接続された状態且つ第二制御パターンに従って制御が行われている状態で、オフフックボタン１４４が押下されると、この入力信号を第三トリガとして検出する。第三検出部１０５は、第三トリガを検出すると、第三トリガが検出されたことを通話制御部１０４ｂに通知する。
【００４５】
通話制御部１０４ｂは、第二制御パターンに従って制御を行っている状態かつ呼が接続された状態で、第三トリガが検出された場合に、通話状態を第三制御パターンに従って制御する点で、通話制御部１０４ａと異なる。なお、通話制御部１０４ｂは、第一トリガ及び第二トリガの検出に係る動作については通話制御部１０４ａと同様である。
通話制御部１０４ｂは、第一制御パターン及び第二制御パターンに加えて、さらに第三制御パターンを有する。第三制御パターンは、第一制御パターンと同様に、マイク２２から入力された音声を通話音声として相手先に伝えない制御である。
【００４６】
図６は、携帯電話装置１ｂの主制御部１０ｂの動作を示すフローチャートである。以下、図６を参照しながら、携帯電話装置１ｂの主制御部１０ｂの動作について説明する。なお、以下の説明において、主制御部１０ａと同じ処理については、図４のフローチャートと同じ符号を付して、その説明を省略する。
通話制御部１０４ｂが第二制御パターンに従って制御を行っている間に、第三検出部１０５が第三トリガを検出すると（Ｓ１１−ＹＥＳ）、通話制御部１０４ｂは、通話を第三制御パターンに従って制御する（Ｓ１３）。そして、通話制御部１０４ｂは、Ｓ０５の分岐に戻って処理を行う。一方、第三検出部１０５による第三トリガの検出が行われる前にオンフックボタン１４３が押下されると（Ｓ１１−ＮＯ、Ｓ１２−ＹＥＳ）、呼制御部１０３は呼を切断し（Ｓ９）、主制御部１０ｂはこの着信に対する処理を終える。
【００４７】
携帯電話装置１ｂは、第一実施形態である携帯電話装置１ａと同様の効果を奏する。さらに、使用者は、携帯電話装置１ｂを用いることにより、第二制御パターンに従った制御の元で相手先と通話を開始した後に、再び通話ができない状況となった場合、第三トリガとなる入力を行うことによって、携帯電話装置１ｂを、音声が相手先に伝わらない状態（第三制御パターンによる制御が行われている状態）とすることができる。そして、使用者は、再び通話ができる状況となった場合には、第二トリガとなる入力を行うことによって、携帯電話装置１ｂを用いて通話を行うことができる。
【００４８】
<変形例>
第三検出部１０５が検出する第三トリガは、上述したものに限定されない。以下、第三トリガのバリエーションについて説明する。
第三検出部１０５は、第三トリガとして、携帯電話装置１ｂの使用者が、マイク２２付近の覆いを外す動作を検出しても良い。例えば、第三検出部１０５は、マイク２２の付近に設置された光センサ３３によって感知される光量の変化に基づいて、第三トリガを検出する。具体的には、第三検出部１０５は、第一検出部１０１が第一トリガを検出した時点の光量を記憶する。その後、第三検出部１０５は、定期的（例えば１秒毎、０．１秒毎など）に、光センサ３３によって感知される光量を取得する。第三検出部１０５は、新たに取得した光量と、記憶している光量との差を算出する。第三検出部１０５は、その差が閾値よりも小さくなった場合に、第三トリガを検出したと判断する。
【００４９】
第三検出部１０５は、第三トリガとして、携帯電話装置１ｂの位置する場所が、第一検出部１０１が第一トリガを検出したときの場所に戻ったことを検出しても良い。例えば、第三検出部１０５は、ＲＦＩＤリーダー２５が検出する位置データに基づいて、第三トリガを検出する。具体的には、各部屋の壁や床や天井、廊下の壁や床や天上などに、位置データを記録したＲＦＩＤタグが設置される。ＲＦＩＤリーダー２５は、これらのＲＦＩＤタグと通信を行い、各ＲＦＩＤタグが記憶する位置データを取得する。位置データは、廊下であることを示すデータや、部屋の番号を示すデータを含む。第三検出部１０５は、第一検出部１０１が第一トリガを検出した時点の位置データを記憶する。第三検出部１０５は、定期的（例えば１秒毎、０．１秒毎など）に、ＲＦＩＤリーダー２５から位置データを取得する。そして、第三検出部１０５は、新たに取得した位置データが、記憶している位置データと一致した場合に、第三トリガを検出したと判断する。
【００５０】
第三検出部１０５は、可視光通信によって携帯電話装置１ｂの位置データを取得し、この位置データに基づいて、第三トリガを検出しても良い。具体的には、携帯電話装置１ｂは、可視光通信の受信部を備え、会議室や廊下などに設けられた照明を光源とする可視光通信を受信する。会議室や廊下などに設けられた各照明は、その照明が設けられた位置を示す位置データを可視光通信によって送信する。位置データは、廊下であることを示すデータや、部屋の番号を示すデータを含む。第三検出部１０５は、第一検出部１０１が第一トリガを検出した時点に可視光通信によって受信された位置データを記憶する。その後、第三検出部１０５は、定期的（例えば１秒毎、０．１秒毎など）に、可視光通信によって位置データを取得する。第三検出部１０５は、新たに取得した位置データと記憶している位置データとが一致した場合に、第三トリガを検出したと判断する。なお、可視光通信を行うための受光部として光センサ３３が適用されても良いし、可視光通信のための新たな光センサが携帯電話装置１ａに設けられても良い。
【００５１】
また、例えば、第三検出部１０５は、第三トリガとして、無線通信を行う際に接続する基地局が、第一検出部１０１が第一トリガを検出したときの基地局に戻ったことを検出しても良い。具体的には、各部屋に、その部屋の中だけが通信範囲となるフェムトセル基地局が設置される。無線部１２又は近距離通信無線部３２は、このフェムトセル基地局に接続する際に、このフェムト基地局の識別子（例えばＩＰアドレスや装置ＩＤなど）を取得する。第三検出部１０５は、第一検出部１０１が第一トリガを検出した時点の基地局の識別子を記憶する。その後、第三検出部１０５は、定期的（例えば１秒毎、０．１秒毎など）に、接続している基地局の識別子を取得する。そして、第三検出部１０５は、新たに取得した基地局の識別子が、記憶している識別子と一致する場合に、第三トリガを検出したと判断する。
【００５２】
また、第三検出部１０５は、携帯電話装置１ｂの位置する座標をＧＰＳ機能部２１から取得し、この座標に基づいて、第三トリガを検出しても良い。具体的には、第三検出部１０５は、第三検出部１０５は、第一検出部１０１が第一トリガを検出した時点の座標を記憶する。その後、第三検出部１０５は、定期的（例えば１秒毎、０．１秒毎など）に、ＧＰＳ機能部２１から座標を取得する。第三検出部１０５は、新たに取得した座標と記憶している座標との距離を算出する。そして、第三検出部１０５は、算出された距離が閾値（例えば１ｍ、５ｍなど）を下回った場合に、第三トリガを検出したと判断する。
【００５３】
第三検出部１０５は、第三トリガとして、通話許可信号が受信されなくなったことを検出しても良い。具体的には、通話許可信号を記録したＲＦＩＤタグが、通話を行っても良い場所（例えば廊下や非常階段など）の壁や床や天井などに、予め設置される。ＲＦＩＤリーダー２５は、これらのＲＦＩＤタグと通信を行い、各ＲＦＩＤタグが記憶する通話許可信号を取得する。第三検出部１０５は、ＲＦＩＤリーダー２５が、通話許可信号を取得なくなった場合に、第三トリガを検出したと判断する。
また、第三検出部１０５は、通話が可能な位置を示す情報として、ＧＰＳ機能部２１から取得する座標、ＲＦＩＤリーダー２５から取得するＲＦＩＤタグに記憶された位置データ、無線部１２又は近距離通信無線部３２から取得するフェムトセル基地局の識別子、のいずれかを予め記憶し、新たに取得した各情報と記憶している情報とが一致しなくなった場合に、第三トリガを検出したと判断しても良い。
【００５４】
また、第三検出部１０５は、第三トリガとして、使用者がマイク２２から口を遠ざける動作を検出しても良い。例えば、第三検出部１０５は、携帯電話装置１ｂに設けられた口臭センサ、アルコールセンサ、二酸化炭素センサ等からの出力に基づいて検出を行う。第三検出部１０５は、各センサについて、使用者の口が近づいた場合に得られる出力値を閾値として予め記憶する。この閾値は、実験の結果などに基づいて予め取得される。第三検出部１０５は、各センサにおける出力値が閾値を下回った場合に、第三トリガを検出したと判断する。
【００５５】
また、第三検出部１０５は、振動センサ２０からの出力に基づいて第三トリガを検出しても良い。第三検出部１０５は、携帯電話装置１ｂの使用者が携帯電話装置１ｂを携帯して歩行や小走りを行った場合に振動センサ２０において得られる出力値を、第一閾値として予め記憶する。また、第三検出部１０５は、携帯電話装置１ｂの使用者が携帯電話装置１ｂを携帯して立ち止まっている場合に振動センサ２０において得られる出力値を、第二閾値として予め記憶する。この第一閾値及び第二閾値は、実験の結果などに基づいて予め取得される。第三検出部１０５は、第二制御パターンに従った制御の実行中に振動センサ２０における出力値が第一閾値を超え、その後に振動センサ２０における出力値が第二閾値を下回った場合に、第三トリガを検出したと判断する。
【００５６】
また、第三検出部１０５は、携帯電話装置１ｂの折りたたみ動作を第三トリガとして検出しても良い。具体的には、開かれていた携帯電話装置１ｂが使用者によって折りたたまれると、この動作をセンサが検知して信号を出力する。第三検出部１０５は、呼が接続された状態且つ第二制御パターンに従って制御が行われている状態で、この信号が出力されると、この信号を第三トリガとして検出する。
この場合、第二検出部１０２は以下のように動作しても良い。折りたたまれていた携帯電話装置１ｂが使用者によって開かれると、この動作をセンサが検知して信号を出力する。第二検出部１０２は、呼が接続された状態且つ第三制御パターンに従って制御が行われている状態で、この信号が出力されると、この信号を第二トリガとして検出する。
【００５７】
次に、第三制御パターンの変形例について説明する。第三制御パターンの制御は、マイク２２から入力された音声を通話音声として相手先に伝えない制御を含めば、さらに他の動作を伴う制御であっても良い。第三制御パターンは、予めメモリ２８が記憶している音声メッセージを相手先に送信する制御パターンであっても良い。音声メッセージの内容は、例えば「すぐに戻りますので、しばらくそのままでお待ちください。」といったメッセージである。即ち、この音声メッセージは、携帯電話装置１ｂの使用者が、再び通話できない状況になってしまったもののそのまま待機すれば通話可能になることを相手先に伝える音声メッセージである。通話制御部１０４ｂが、このような音声メッセージを相手先に送信することにより、接続している呼が、相手先によって切断されるおそれが減る。
【００５８】
［第三実施形態］
次に、第三実施形態である携帯電話装置１ｃについて説明する。携帯電話装置１ｃは、主制御部１０ａに代えて主制御部１０ｃを備える点で携帯電話装置１ａと異なり、他の構成については携帯電話装置１ａと同様である。そのため、携帯電話装置１ｃ全体についての説明は省略し、主制御部１０ｃについて説明する。なお、モード判断部１０６は、第一実施形態である携帯電話装置１ａに対して付加されるのではなく、第二実施形態である携帯電話装置１ｂに対して付加されても良い。
【００５９】
図７は、主制御部１０ｃの機能構成のうち、携帯電話装備１ｃにおいて特徴的な機能構成のみを記載した概略ブロック図である。主制御部１０ｃは、モード判断部１０６をさらに備える点で主制御部１０ａと異なる。以下、主制御部１０ｃについて、主制御部１０ａと異なる点を主に説明する。
【００６０】
モード判断部１０６は、携帯電話装置１ｃの状態が通話制御モードである否か判断する。そして、モード判断部１０６は、通話制御モードであると判断した場合は、第一検出部１０１、第二検出部１０２、呼制御部１０３、通話制御部１０４ａに対し、図４に示された処理を行うように指示する。一方、モード判断部１０６は、通話制御モードではないと判断した場合は、第一検出部１０１、第二検出部１０２、呼制御部１０３、通話制御部１０４ａに対し、図４に示された処理ではなく、通常の通話の処理を行うように指示する。通常の通話の処理とは、着信があった後にオフフックボタン１４４が押下されると、第一検出部１０１及び第二検出部１０２の検出結果にかかわらず、呼制御部１０３が呼を接続し、通話制御部１０４ａが相手先と通話ができる状況に制御することである。通常の通話の処理とは、さらに、通話状態において、たとえ第二検出部１０２が第二トリガを検出したとしても、通話制御部１０４ａが通話状態の制御内容を変更することなく、相手先と通話ができる状態に制御することである。
【００６１】
モード判断部１０６は、携帯電話装置１ｃがマナーモードに設定されている場合には、通話制御モードであると判断する。また、モード判断部１０６は、メモリ２８に記憶されているスケジュールデータを参照し、現在の時刻に会議や打ち合わせの予定が登録されている場合に、通話制御モードであると判断する。
【００６２】
図８は、携帯電話装置１ｃの主制御部１０ｃの動作を示すフローチャートである。以下、図８を参照しながら、携帯電話装置１ｃの主制御部１０ｃの動作について説明する。なお、以下の説明において、主制御部１０ａと同じ処理については、図４のフローチャートと同じ符号を付して、その説明を省略する。
モード判断部１０６は、携帯電話装置１ｃに着信があると、通話制御モードであるか否か判断する（Ｓ２１）。モード判断部１０６は、通話制御モードであると判断すると（Ｓ２１−ＹＥＳ）、第一検出部１０１、第二検出部１０２、呼制御部１０３、通話制御部１０４ａに対し、図４に示された処理を行うように指示する。この場合、各機能部は、図４に示されたフローチャートと同様に、Ｓ０１からＳ０９の処理を実行する。
【００６３】
一方、モード判断部１０６は、通話制御モードではないと判断すると（Ｓ２１−ＮＯ）、第一検出部１０１、第二検出部１０２、呼制御部１０３、通話制御部１０４ａに対し、通常の通話の処理を行うように指示する。この場合、主制御部１０ｃは、Ｓ０１と同様に着信を使用者に報知する（Ｓ２２）。主制御部１０ｃは、着信が続いている間は、オフフックボタン１４４が押下されるまで着信報知を続けて待機する（Ｓ２３−ＮＯ）。主制御部１０ｃの呼制御部１０３は、着信が続いている間にオフフックボタン１４４が押下されると（Ｓ２３−ＹＥＳ）、この着信に対し呼の接続を行う（Ｓ２４）。また、通話制御部１０４ａは、オンフックボタン１４３が押下されるまで（Ｓ２５−ＮＯ）、相手先と通話ができる状態に制御を行う。そして、オンフックボタン１４３が押下されると、呼制御部１０３は呼を切断し（Ｓ０９）、主制御部１０ｃはこの着信に対する処理を終える。
【００６４】
図９は、モード判断部１０６の動作を示すフローチャートである。以下、図９を参照しながら、モード判断部１０６の動作について説明する。なお、図９における処理は、図８におけるＳ２１の判断処理に相当する。
モード判断部１０６は、現在の設定がマナーモードであるか否か判断する（Ｓ２１１）。モード判断部１０６は、現在の設定がマナーモードである場合（Ｓ２１１−ＹＥＳ）、通話制御モードと判断する（Ｓ２１５）。一方、現在の設定がマナーモードではない場合（Ｓ２１１−ＮＯ）、モード判断部１０６は、メモリ２８に記憶されているスケジュールデータを参照し、現在の時刻にスケジュールが登録されているか否か判断する（Ｓ２１２）。スケジュールが登録されていない場合（Ｓ２１２−ＮＯ）、モード判断部１０６は、通話制御モードではないと判断する（Ｓ２１４）。一方、スケジュールが登録されている場合（Ｓ２１２−ＹＥＳ）、モード判断部１０６は、そのスケジュールが会議であるか否か判断する（Ｓ２１３）。そのスケジュールが会議である場合（Ｓ２１３−ＹＥＳ）、モード判断部１０６は、通話制御モードと判断する（Ｓ２１５）。一方、そのスケジュールが会議ではない場合（Ｓ２１３−ＮＯ）、モード判断部１０６は、通話制御モードではないと判断する（Ｓ２１４）。
【００６５】
携帯電話装置１ｃは、第一実施形態である携帯電話装置１ａと同様の効果を奏する。さらに、使用者は、携帯電話装置１ｃを用いることにより、通常の通話の処理を実行させるか、通話制御モードとしての処理（図４に示されるフローチャートの処理）を実行させるかを、明示的に選択することができる。特に通話制御モードに該当しない場合は、使用者は、わざわざ第一トリガや第二トリガに相当する入力を行うことなく、オフフックボタン１４４を押下するのみによって、呼を接続し相手先と通話を行うことが可能となる。また、図９に示されるフローチャートの処理によれば、マナーモードを設定し忘れていたとしても、予めスケジュールに会議が設定されていれば、主制御部１０ｃは通話制御モードとして動作する。
【００６６】
<変形例>
モード判断部１０６は、使用者が操作部１４を操作することによって明示的に通話制御モードを設定した場合に、通話制御モードであると判断しても良い。具体的には、使用者が操作部１４を操作して、通話制御モードのアイコンをクリックすると、メモリ２８は通話制御モードに設定されたことを記憶する。そして、モード判断部１０６は、メモリ２８に記憶されているこの設定を読み出すことによって、通話制御モードであると判断する。
また、モード判断部１０６は、複数の条件が満たされている場合に、通話制御モードであると判断しても良い。例えば、マナーモードに設定されており且つ現在の時刻に会議や打ち合わせの予定が登録されている場合に、モード判断部１０６は通話制御モードであると判断しても良い。モード判断部１０６は、会議や打ち合わせの予定の有無を、メモリ２８に記憶されているスケジュールデータを読み出すことにより判断する。
【００６７】
また、モード判断部１０６は、ＧＰＳ機能部２１やＲＦＩＤリーダー２５や可視光通信によって検出された現在位置の座標や位置データと、予め記憶している会議室や打ち合わせ室などの座標や位置データとを比較し、一致する場合には、通話制御モードであると判断しても良い。モード判断部１０６が具体的にどのような場合に通話制御モードであると判断するかは、適宜設計できる。
【００６８】
なお、上述した実施形態における携帯電話装置１ａ〜１ｃの一部、例えば、主制御部１０ａ〜１０ｃの機能をコンピュータで実現するようにしても良い。その場合、この主制御部１０ａ〜１０ｃにおける機能を実現するためのプログラムをプログラムメモリ１３やコンピュータ読み取り可能な記録媒体に記録して、記録されたプログラムをコンピュータシステムに読み込ませ、実行することによって実現しても良い。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時刻の間、動的にプログラムを保持するもの、その場合のサーバやクライアントとなるコンピュータシステム内部の揮発性メモリのように、一定時刻プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
以上、この発明の実施形態について図面を参照して詳述してきたが、具体的な構成はこの実施形態に限られるものではなく、この発明の要旨を逸脱しない範囲の設計等も含まれる。
【図面の簡単な説明】
【００６９】
【図１】第一実施形態である携帯電話装置の全体のシステム構成を示す概略ブロック図である。
【図２】携帯電話装置の外観構成例を示す図である。
【図３】第一実施形態における主制御部の機能構成のうち、携帯電話装置において特徴的な機能構成のみを記載した概略ブロック図である。
【図４】第一実施形態における主制御部の動作を示すフローチャートである。
【図５】第二実施形態における主制御部の機能構成のうち、携帯電話装置において特徴的な機能構成のみを記載した概略ブロック図である。
【図６】第二実施形態における主制御部の動作を示すフローチャートである。
【図７】第三実施形態における主制御部の機能構成のうち、携帯電話装置において特徴的な機能構成のみを記載した概略ブロック図である。
【図８】第三実施形態における主制御部の動作を示すフローチャートである。
【図９】第三実施形態における主制御部の動作を示すフローチャートである。
【符号の説明】
【００７０】
１…携帯電話装置，  １０…主制御部，  １０１…第一検出部，  １０２…第二検出部，  １０３…呼制御部，  １０４…通話制御部，  １０５…第三検出部，  １０６…モード判断部
【図１】
0004997572.tif 000002
【図２】
0004997572.tif 000003
【図３】
0004997572.tif 000004
【図４】
0004997572.tif 000005
【図５】
0004997572.tif 000006
【図６】
0004997572.tif 000007
【図７】
0004997572.tif 000008
【図８】
0004997572.tif 000009
【図９】
0004997572.tif 000010